(57)【要約】【課題】ネジ部品を使用せず、レンズの着脱が容易で緩まないメガネのワイヤーフレーム構造の提供。【解決手段】ワイヤーフレーム１０、レンズ２０、テンプル及び結合部品４０から構成し、該レンズ周辺縁にはリム線を成形して、ワイヤーフレームを該リム線に嵌合してレンズを挟持し、結合部品４０は、ワイヤーフレーム差込桿を溝孔４２に挿入して端部の掛合鈎１１２，１２２を掛合溝に係合して固定し、テンプルの回転軸部３１を軸合部に嵌合して固定する。【選択図】図２
0003186685.tif 000002
【実用新案登録請求の範囲】
【請求項１】
ワイヤーフレーム、レンズ、テンプル及び結合部品から構成するメガネのワイヤーフレーム構造において、
第一ワイヤーフレーム及び二つの左右対称の第二ワイヤーフレームを備え、
該第二ワイヤーフレームは、それぞれ鼻梁に近い位置にあって、第一ワイヤーフレームと共にレンズを囲んで固定し、更に、ノーズパッドを設置したノーズパッド桿を下向きに延長して設け、
該第一ワイヤーフレーム及び第二ワイヤーフレームの外側端部には、結合部品に対する差込桿をそれぞれ垂直に延長して形成すると共にその端部に折曲した掛合鈎を成形し、
レンズは、周辺縁に内向きに凹んだリム線を成形して、第一ワイヤーフレーム及び第二ワイヤーフレームを該リム線に嵌入して挟持し、
テンプルは、ワイヤー体で構成して、回転軸部、回転軸部から垂直に外向きに伸びる二本のワイヤー脚を備え、更に、それぞれのワイヤー脚末端に被せたイヤーパッドを設けてなり、
結合部品は、差込部、定位部及びこれら二者間を繋ぐ軸合部を備え、
該差込部は、前記二本の差込桿を挿入する溝孔を備え、かつ該溝孔底部には該差込桿の掛合鈎がそれぞれ係合する掛合溝を相対して設け、
該定位部は、前記テンプルの二本のワイヤー脚に挟持されてその間隔に整合して保持力を保ち、かつ、軸合部は、差込部と定位部の間の隙間に内向きに凹んだ円弧溝を形成して、該円弧溝内に前記テンプルの二本のワイヤー脚を繋ぐ回転軸部を嵌合することにより、
テンプルとワイヤーフレームとを結合したことを特徴とするメガネのワイヤーフレーム構造。
【考案の詳細な説明】
【技術分野】
【０００１】
本考案は、軽量のメガネ構造で、特にメガネのワイヤーフレームに応用するメガネ構造に係わる。
【背景技術】
【０００２】
公知のよく見かけるメガネ構造は、一般にワイヤーフレーム及び二両のテンプルからなる。該ワイヤーフレームとテンプルの連接箇所は、相対して設置する枢設軸構造があり、ネジ部品を該枢設軸箇所に螺設し、該テンプルの活動端は該ネジを軸心としてイヤーフレームに相対して展開、もしくは折りたたみの動作をする。しかしながら、該種のテンプルの枢設軸構造は長期間使用すると、軸心箇所のネジが時間とともに開き、緩んでしまう。そのため、時々ネジ回しで適度に締めなければならず、不便である。
【０００３】
メガネ製造技術の進歩に伴い、メガネ構造は、徐々に軽量に設計されるようになり、それにつれて製造コスト、販売価格が上がってきている、例として、材質が固い薄型フレームメガネもしくは造形簡単なメガネのワイヤーフレーム等はすべてこの種に属する。薄型フレームメガネのワイヤーフレーム及びテンプルは一般に片状材料である。
【先行技術文献】
【特許文献】
【０００４】
【特許文献１】特開２００４−１０９８４１号公報
【考案の概要】
【考案が解決しようとする課題】
【０００５】
解決しようとする問題点は、仮に関節の設計が前述の軸合関節構造の場合、ネジが簡単に緩む問題を避ける事は困難である。そのため、特別な関節構造によって二者を一体に連結する。その他、メガネのワイヤーフレームの線型材料上に前述の枢設軸構造を加工製作する必要があり、技術上難度が高く、製造コストも上がる。そのため、該種のメガネ構造は改善の余地がある。
【課題を解決するための手段】
【０００６】
本考案は、ワイヤーフレーム、レンズ、テンプル及び結合部品からなる。該レンズ周辺縁にはリム線を成形し、複数個のワイヤー材で構成されたワイヤーフレームは、該リム線箇所でレンズを挟持し、結合部品でワイヤーフレーム側辺を連結し、レンズをワイヤーフレームに固定する。該テンプルは回転軸部を備え、結合部品を嵌入した軸合部によってネジ部品が必要なく、テンプルとワイヤーフレームを結合することを最も主要な特徴とする。
【考案の効果】
【０００７】
本考案のメガネのワイヤーフレーム構造は、ネジ部品を使用せずにテンプルとワイヤーフレームを結合することで、レンズの着脱が便利であるという利点がある。
【図面の簡単な説明】
【０００８】
【図１】本考案の実施例の外観斜視図である。
【図２】本考案の実施例の分解指示図である。
【図３】本考案の実施例の局部拡大指示図である。
【図４】本考案の結合部品と隣接部品の局部断面指示図である。
【考案を実施するための形態】
【０００９】
本考案が解決しなければならない技術問題に鑑み、ネジ不要で、テンプルとワイヤーフレームを結合し、且つ、レンズ取り外しが便利なメガネのワイヤーフレーム構造を提供することを本考案の目的とする。
【００１０】
上述の目的を達成するため、本考案はメガネのワイヤーフレーム構造を提供し、ワイヤーフレーム、レンズ、テンプル及び結合部品から構成する。該ワイヤーフレームは、複数個のワイヤーフレームから構成され、レンズを挟持した後、結合部品でワイヤーフレーム側辺とテンプルの間を連結することで構造が簡単なメガネのワイヤーフレーム構造が形成される。
【００１１】
前述ワイヤーフレームは、第一ワイヤーフレーム及び二左右対称の第二ワイヤーフレームからなる。該第二ワイヤーフレームは鼻梁に近い位置に於いて、第一ワイヤーフレームに固定し、下向きにノーズパッド桿が伸びる。該ノーズパッド桿はノーズパッドを設置する。該第一ワイヤーフレーム及び第二ワイヤーフレームの外側に近い一端は、それぞれ差込桿を垂直に延長して差込桿端部で掛合鈎を折曲成形する。
【００１２】
前述レンズ周辺縁は、内向きに凹んだリム線を成形し、そこに第一ワイヤーフレーム及び第二ワイヤーフレームを嵌合して挟持固定する。
【００１３】
前述テンプルは、ワイヤー体であり、回転軸部、回転軸部から垂直外向きに伸びる二ワイヤー脚を備える。更にイヤーパッドは二ワイヤー脚末端に被覆する。
【００１４】
前述結合部品は、差込部、定位部及び二者間を繋ぐ軸合部を有する。該差込部は溝孔を備え、溝孔の底部は相対する位置に掛合溝を成形する。該軸合部は差込部と定位部の間の隙間に内向きに凹んだ円弧溝を形成する。
【００１５】
該定位部の幅と二ワイヤー脚の隙間は符合し、適する抵抗力を構成する。
【００１６】
このようにしてワイヤーフレーム両側の差込桿を溝孔内に挿入し、差込桿端部の掛合鈎は掛合溝に嵌入して結合し、テンプルの回転軸部は軸合部に嵌合し、ネジ不要でテンプルとワイヤーフレームを結合するメガネのワイヤーフレーム構造を形成する。
【実施例】
【００１７】
本考案の技術内容、効果及びその他特徴を更に理解するため、以下茲に実施例及び図式を挙げて詳細に説明する。
【００１８】
図１に示すのは、本考案のメガネのワイヤーフレーム構造の実施例であり、ワイヤーフレーム１０、レンズ２０、テンプル３０及び結合部品４０からなる。前述のワイヤーフレーム１０は、少なくとも一つのワイヤー材から構成され、二個の対称のレンズ２０を挟持する。前述の結合部品４０はワイヤーフレーム１０側辺とテンプル３０の間を結合し、構造が簡単で組立しやすいメガネのワイヤーフレーム構造である。
【００１９】
図２及び図３に示すとおり、前述のワイヤーフレーム１０は第一ワイヤーフレーム１１及び二個の左右対称の第二ワイヤーフレーム１２からなる。該二ワイヤーフレームの取り囲む形状はレンズ２０外形に基づき成形され、図２に示すとおり、該第二ワイヤーフレーム１２は鼻梁近くの位置において第一ワイヤーフレーム１１に固定され、下向きに伸びるノーズパッド桿１３にノーズパッド５０を固定する。
該第一ワイヤーフレーム１１及び第二ワイヤーフレーム１２の外側に近い側の一端にはそれぞれ差込桿１１１、１２１を垂直に延長して設け、該差込桿１１１、１２１の端部は外向きに折曲して掛合鈎１１２、１２２を成形して、後述する結合部品４０の掛合溝４３に係合する。
該レンズ２０の周辺縁は、内向きに凹んだリム線２１を形成して、第一ワイヤーフレーム１１及び第二ワイヤーフレーム１２は上下からこのリム線２１に嵌合して固定する。
【００２０】
前述のテンプル３０は適度な強度及び靭性を備えた線材で構成された構造体であり、回転軸部３１、回転軸部３１から垂直外向きに伸びる二本のワイヤー脚３２を備える。更に、イヤーパッド３３は、二本のワイヤー脚の末端を包んで完成したテンプルを被覆する。
【００２１】
前述結合部品４０は、差込部４１、定位部４４及び二者間で成形する軸合部４５を備える。該差込部４１は幅が二本の差込桿１１１、１２１の間の間隔にほぼ等しい幅の溝孔４２を備え、溝孔４２底部の両側方向に相対して掛合溝４３が成形される。
上記軸合部４５は差込部４１と定位部４４の隙間に形成した内向きに凹んだ円弧溝４６に、テンプル３０の回転軸部３１を嵌合する。該定位部４４の幅と二本のワイヤー脚３２隙間距離は整合して両者間で適切な保持・定位力を形成する（図３，４参照）。
【００２２】
図４に示すとおり、本考案は上述構造で組み立てる時、ワイヤーフレーム１０両側の差込桿１１１、１２１を結合部品４０の溝孔４２内に挿入し、直接差込桿端部の掛合鈎１１２、１２２を掛合溝４３に嵌入して結合する。テンプル３０の回転軸部３１は、軸合部４５に嵌合して結合する。それらによって枢設軸構造及びネジ部品を必要とせず、テンプルとワイヤーフレームを結合するメガネワイヤーフレーム構造を形成し、ネジ構造が緩みやすいという欠点を改善する。
【００２３】
上述の構造実施例を説明した後、本考案メガネのワイヤーフレーム構造は、ネジ部品を使用せずに組み立てが完成するので、ネジの緩みの問題が発生しない。更にワイヤー体のワイヤーフレーム及びテンプル設計は創意性に溢れ、メガネ重量を大幅に減らし、製品の精緻感を高めることが出来る。
【００２４】
上述のとおり、本考案メガネのワイヤーフレーム構造は、確実に予め設定した目的を達成する。しかしながら、以上、前述は本考案の良好な実施例にすぎず、本考案の請求範囲を限定するものではない。
【符号の説明】
【００２５】
１０      ワイヤーフレーム
１１     
第一ワイヤーフレーム
１１１      差込桿
１１２      掛合鈎
１２      第二ワイヤーフレーム
１２１      差込桿
１２２      掛合鈎
１３      ノーズパッド桿
２０      レンズ
２１      リム線
３０      テンプル
３１      回転軸部
３２      ワイヤー脚
３３      イヤーパッド
４０      結合部品
４１      差込部
４２      溝孔
４３      掛合溝
４４      定位部
４５      軸合部
４６      円弧溝
５０      ノーズパッド
【図１】
0003186685.tif 000003
【図２】
0003186685.tif 000004
【図３】
0003186685.tif 000005
【図４】
0003186685.tif 000006